(57)【要約】【課題】商品に対する商品化以前の情報を消費者に提供することができる電子料金秤を提供すること。【解決手段】商品毎に単価を含む商品情報を記憶するＰＬＵファイル１３ｐを有し、このＰＬＵファイル１３ｐから呼び出した商品の商品情報に基づいてラベルを発行する機能を備えた電子料金秤において、入力手段により入力された管理番号を呼び出された商品情報の一つとして付加した。【選択図】    図１
2004198299.tif 000002
【特許請求の範囲】
【請求項１】
商品毎に単価を含む商品情報を記憶するＰＬＵファイルを有し、このＰＬＵファイルから呼び出した商品の商品情報に基づいてラベルを発行する機能を備えた電子料金秤において、
管理番号を入力する入力手段と、
この入力手段により入力された管理番号を呼び出された商品情報の一つとして付加したことを特徴とする電子料金秤。
【請求項２】
商品毎に単価を含む商品情報を記憶するＰＬＵファイルを有し、このＰＬＵファイルから呼び出した商品の商品情報に基づいてラベルを発行する機能を備えた電子料金秤において、
ラベルに前記商品情報と共に管理番号及びＵＲＬアドレスを印字したことを特徴とする電子料金秤。
【発明の詳細な説明】
【０００１】
【発明の属する技術分野】
本発明は、管理番号により商品の追跡確認をすることができる電子料金秤に関する。
【０００２】
【従来の技術】
近年、電子料金秤がスーパーマーケット等で広く使用されている。また、商品に管理番号を印刷したラベルを発行する電子料金秤が知られている（特許文献１）。
【０００３】
電子料金秤により例えば生鮮商品に貼られるラベルには、商品を小分けした時点あるいは商品を加工／調理した時点以降のデータ（例えば、加工日、賞味期限等）が印字されていた。また、商品を小分けする以前の情報としては商品の原産地や産地名等がラベルに印字されていた。
【０００４】
【特許文献１】
特開平１１−３５１９５５号公報
【０００５】
【発明が解決しようとする課題】
近年、食品の安全性に関する消費者の関心は高まっている。特に、食肉においては、生産者業界でトレーサビリティ（追跡確認可能）のある管理番号により食肉を管理している。ここで、トレーサビリティとは、商品が生産されてから流通経路を経て消費者に購入されるまで、流通経路を追跡できることを意味する。
【０００６】
また、この管理番号により消費者からの問い合わせに対して商品化以前の情報を消費者に提供する体制を立てつつある。
【０００７】
しかしながら、電子料金秤においては、商品化以前の情報、つまり生産者側の情報を消費者に正確に伝えるようにしたラベルを発行することはできなかった。
【０００８】
本発明は上記の点に鑑みてなされたもので、その目的は、商品に対する商品化以前の情報を消費者に提供することができる電子料金秤を提供することにある。
【０００９】
【課題を解決するための手段】
本発明は、商品毎に単価を含む商品情報を記憶するＰＬＵファイルを有し、このＰＬＵファイルから呼び出した商品の商品情報に基づいてラベルを発行する機能を備えた電子料金秤において、入力手段から入力された管理番号を呼び出された商品情報の一つとして付加した。そして、その商品情報に基づいてラベルを発行するようにしている。
【００１０】
【発明の実施の形態】
以下図面を参照して本発明の一実施の形態について説明する。図１はラベル発行機のシステム構成を示すブロック図である。図において、１１はラベル発行機全体を制御するＣＰＵ（中央処理装置）である。このＣＰＵ１１からのシステムバス１１ａには、各種プログラムをフラッシュＲＯＭ（リード・オンリ・メモリ）１２、商品番号毎に商品名、単価等の商品情報を記憶するＰＬＵファイル１３ｐ及び管理番号を記憶する管理番号メモリ１３ｒの他各種設定データ（部門コード、産地コード）、商品の詳細な情報をアクセスするためのＵＲＬ（UNIFORM RESOURCE LOCATER）アドレスが記憶されるＲＡＭ（ランダム・アクセス・メモリ）１３、商品の計量を行なうロードセルユニット１４からの重量データを取り込む秤インタフェース１５、上位のコンピュータからの各種設定データの送受信を行なうEthernetインタフェース１６、第２プリンタユニット１７との通信を行う第２プリンタインタフェース１８、数字キー等の入力データを行なうキーボード、ラベル発行時の各種設定を行なうタッチパネル１９からの入力データを取り込むキーコントローラ２０、商品呼び出しの際に各種設定画面表示等を行うＬＣＤ２１及びＬＥＤ２２の表示制御を行う表示コントローラ２３、ラベル発行を行う第１プリンタユニット２４の制御を行う第１プリンタエンジン２５、透過、反射、温度等の各種センサ２６とのデータの受け渡しを行うＩ／Ｏポート２７、スキャナ２８のインタフェースであるスキャナＩ／Ｆ２９が接続されている。
【００１１】
なお、管理番号とは、例えば牛肉にあっては、牛が生まれたときに付与される固有の番号であり、その牛が食肉となってもその管理番号は固定されている。
【００１２】
前述した上位のコンピュータには、管理番号に対応する商品の産地、生産者名等の詳細なデータを記憶している。
【００１３】
次に、図２を参照してラベル発行機の斜視図について説明する。図において、３１は計量される商品が載置されるのせ皿、３２ははかりの水平を調整する調整脚、３３は電源スイッチである。のせ皿３１の下側には前述したロードセルユニット１４が搭載されている。また、２１は前述したＬＣＤ、１９は前述したキーボードである。
【００１４】
また、３４は前述した第１プリンタユニット２４で印刷されたラベルが発行されるラベル発行口である。
【００１５】
次に、上記のように構成された本発明の一実施の形態の動作について説明する。まず、管理番号を電子料金秤に入力する入力方法について説明する。
【００１６】
まず、電源スイッチ３３をオンすると、登録モードの商品呼び出し画面が表示される。
【００１７】
登録モードにおいて、キーボード１９のテンキーで品番を入力した後、品番キーが操作されると、ＰＬＵファイル１３ｐが検索されて入力された品番に対応した商品情報がＬＣＤ２１に表示される。
【００１８】
例えば、「３」という品番の商品情報が呼び出された場合には、図６に示すような登録画面表示モードとなる。このよう登録画面表示モードにおいて、管理番号を入力する場合には、『管理番号』ボタン４１をタッチする。これにより、管理番号入力モードとなる。すると、それ以降キーボード１９から入力された置数は図７に示すように管理番号入力欄４２に表示される。なお、この場合にキーボード１９が入力手段となる。また、キーボード１９から入力された管理番号は、図３に示すように管理番号メモリ１３ｒに記憶される。この際、図６に示すような登録画面表示モードとして表示されている商品の産地コード及び部門コードがＲＡＭ１３から呼び出されてこの管理番号メモリ１３ｒに記憶される。
【００１９】
別の管理番号の入力方法として、スキャナ２８から入力する方法がある。
【００２０】
つまり、入荷品に記載された管理番号バーコードをスキャナ２８で読み取らせる。そして、このスキャナ２８で読み取られた管理番号は管理番号入力欄４２に入力される。また、図６に示すような登録画面表示モードとして表示されている商品の産地コード及び部門コードがＲＡＭ１３から呼び出されてこの管理番号メモリ１３ｒに記憶される。
【００２１】
さらに、別の管理番号の入力方法としてEthernetインタフェース１６を介して上位のコンピュータ（図示しない）にアクセスし、このコンピュータから所望の管理番号を選択して入力するようにしても良い。
【００２２】
次に、前述したように入力された管理番号が電子料金秤内でどのように管理されるかについて説明する。まず、第１の手法は、ＬＣＤ２１に登録画面が表示されている商品のみ有効とする方法である。つまり、図６に示すような登録画面表示モードにおいて、管理番号を入力して管理番号入力欄４２に管理番号を入力した後、ラベル印字を行い、次の品番が呼び出されると、管理番号入力欄４２に表示された管理番号はクリアされる。そして、管理番号入力欄４２への次の管理番号の入力待ちとなる。
【００２３】
第２の手法は、登録画面が表示されている商品と同じ部門コードを記憶している商品について有効とする方法である。つまり、図６に示すような登録画面表示モードにおいて、管理番号を入力して管理番号入力欄４２に管理番号を入力した後、ラベル印字を行う。その後、次の品番が呼び出されたときに、その品番に対応する部門コードが管理番号メモリ１３ｒに存在しているかを検索し、部門コードが管理番号メモリ１３に存在していれば、対応する管理番号を管理番号入力欄４２に表示する。そして、ラベル印字が行われる。
【００２４】
第３の手法は、登録画面が表示されている商品と同じ産地コードを記憶している商品について有効とする方法である。つまり、図６に示すような登録画面表示モードにおいて、管理番号を入力して管理番号入力欄４２に管理番号を入力した後、ラベル印字を行う。その後、次の品番が呼び出されたときに、その品番に対応する産地コードが管理番号メモリ１３ｒに存在しているかを検索し、産地コードが管理番号メモリ１３に存在していれば、対応する管理番号を管理番号入力欄４２に表示する。そして、ラベル印字が行われる。
【００２５】
ラベル印字は、図５に示すように印字される。つまり、ラベル５０には商品名５１、管理番号５２、ＵＲＬアドレス５３等が印字される。このＵＲＬアドレスは、例えば、管理番号を入力する際に入力することもできるし、入力された管理番号に基づいて上位のコンピュータから呼び出してきても良い。
【００２６】
ここで、この商品を購入した消費者は、ラベル５０に印字されているＵＲＬよりホームページをパーソナルコンピュータに表示された後、管理番号を入力して、その詳細な情報（生産者名等）を得るようにしても良い。
【００２７】
さらに、電子料金秤から管理番号を入力することにより、上位のコンピュータにアクセスして、その詳細な情報（生産者名等）を得るようにしても良い。
【００２８】
上記実施の形態では入力された管理番号をＬＣＤ２１に表示するようにしたが、特に内部のメモリに記憶させておけば、特に表示しなくても良い。
【００２９】
なお、上記実施の形態では対面式でない電子料金秤について説明したが、体面式の電子料金秤についても同様に実施することができる。
【００３０】
【発明の効果】
以上詳述したように本発明によれば、商品に対する商品化以前の情報をラべルに印字するようにしたので、消費者は商品化以前の情報を正確に知ることができる電子料金秤を提供することができる。
【図面の簡単な説明】
【図１】本発明の一実施の形態に係る電子料金秤のシステム構成を示すブロック図。
【図２】同実施の形態に係る電子料金秤の外観図。
【図３】同実施の形態に係る管理番号メモリの構成を示す図。
【図４】同実施の形態に係るＰＬＵファイルの構成を示す図。
【図５】同実施の形態に係るラベルへの印字例を示す図。
【図６】同実施の形態に係る登録画面を示す図。
【図７】同実施の形態に係る登録画面を示す図。
【符号の説明】１１…ＣＰＵ、１２…フラッシュＲＯＭ、２０…キーコントローラ、２３…表示コントローラ、２５…第１プリンタエンジン。
【図１】
2004198299.tif 000003
【図２】
2004198299.tif 000004
【図３】
2004198299.tif 000005
【図４】
2004198299.tif 000006
【図５】
2004198299.tif 000007
【図６】
2004198299.tif 000008
【図７】
2004198299.tif 000009